【手続補正書】
【提出日】令和3年4月1日(2021.4.1)
【手続補正１】
【補正対象書類名】明細書
【補正対象項目名】全文
【補正方法】変更
【補正の内容】
【発明の詳細な説明】
【発明の名称】リソース指示方法、装置、及び記憶媒体
【技術分野】
【０００１】
本開示は、通信の分野に関し、例えば、リソースを指示するための方法及び装置、並びに記憶媒体に関する。
【０００２】
［背景］
現在、第４世代移動通信技術（４Ｇ）のロングタームエボリューション（Long-Term Evolution：ＬＴＥ）、ロングタームエボリューションアドバンス（Long-Term Evolution Advance：ＬＴＥ−Ａ）及び第５世代移動通信技術（５Ｇ）の需要が高まっている。現在の開発動向に注目すると、４Ｇと５Ｇの両システムにおいて、モバイルブロードバンドの強化、超高信頼低遅延送信、大規模接続をサポートする特徴が研究されている。
【０００３】
超高信頼低遅延送信の特徴をサポートするためには、短い送信期間で低遅延及び超高信頼のサービスを送信する必要があり、同時に、送信期間の短いサービスリソースプロセスで送信されるサービスが、送信期間の長い他のサービスの送信プロセスの一部を占有できる必要がある。
【０００４】
当技術分野では、通信システムが送信期間の異なるサービスを送信する場合、送信期間が短いサービスによって占有される送信期間が長いサービスのリソースを受信側にどのように指示するかという課題について、有効なソリューションは提案されていない。
【０００５】
［サマリー］
本開示の一実施形態は、通信システムが送信期間の異なるサービスを送信する場合に、送信期間が短いサービスによって占有される送信期間が長いサービスのリソースを受信側にどのように指示するかという従来技術の課題を少なくとも解決するリソース指示方法、リソース指示装置、及び記憶媒体を提供する。
【０００６】
本開示の一実施形態は、リソースを指示する方法を提供し、この方法は、構成された時間・周波数リソース領域において、物理層シグナリングによって、第２の送信期間を有するサービスによって占有される第１の送信期間を有するサービスの時間・周波数リソースを指示することを含み、第１の送信期間は、第２の送信期間より長い。
【０００７】
本開示の他の実施形態は、リソースを指示する装置を提供し、この装置は、構成された時間・周波数リソース領域において、物理層シグナリングによって、第２の送信期間を有するサービスによって占有される第１の送信期間を有するサービスの時間・周波数リソースを指示するように構成された指示モジュールを備え、第１の送信期間は、第２の送信期間より長い。
【０００８】
本開示の他の実施形態は、記憶媒体を提供し、記憶媒体は、記憶プログラムを含み、このプログラムは、実行時に上記のリソースを指示する方法を実行する。
【図面の簡単な説明】
【０００９】
【図１】本開示の一実施形態に基づくリソース指示方法のフローチャートである。
【図２】本開示の一実施形態に基づくリソース指示装置のブロック図である。
【図３】本開示の一実施形態に基づく固定数の２次元リソース単位の概略図である。
【発明を実施するための形態】
【００１０】
本開示の明細書及び特許請求の範囲、並びに上記の図面における「第１」又は「第２」等の用語は、類似の対象物を区別するために使用するものであり、特定の順序又は優先順位を意図するものではない。
【００１１】
＜実施形態１＞
【００１２】
本実施形態は、リソース指示方法を提供する。図１は、本開示の一実施形態に基づくリソース指示方法のフローチャートである。図１に示すように、フローは、ステップ１０２を含む。
【００１３】
ステップ１０２において、構成された時間・周波数リソース領域において、物理層シグナリングによって、第２の送信期間を有するサービスによって占有される第１の送信期間を有するサービスの時間・周波数リソースを指示し、ここで、第１の送信期間は、第２の送信期間より長い。
【００１４】
一実施形態では、第２の送信期間を有するサービスによって占有される第１の送信期間を有するサービスの時間・周波数リソースに対応する時間ドメイン粒度及び周波数ドメイン粒度の決定方式は、以下のいずれかを含む。
【００１５】
‐時間ドメイン粒度と周波数ドメイン粒度の両方が物理層シグナリングによって指示され又は上位層シグナリングによって構成される。
【００１６】
‐物理層シグナリングによる指示又は上位層シグナリングによる構成によって時間ドメイン粒度が決定され、決定された時間ドメイン粒度に基づいて周波数ドメイン粒度が決定される。
【００１７】
‐物理層シグナリングによる指示又は上位層シグナリングによる構成によって周波数ドメイン粒度が決定され、決定された周波数ドメイン粒度に基づいて時間ドメイン粒度が決定される。
【００１８】
本開示によれば、構成された時間・周波数リソース領域において、物理層シグナリングによって、第２の送信期間を有するサービスによって占有される第１の送信期間を有するサービスの時間・周波数リソースを指示でき、第１の送信期間は、第２の送信期間より長く、及び第２の送信期間を有するサービスによって占有される時間・周波数リソースの時間ドメイン粒度及び周波数ドメイン粒度の決定方式は、
‐時間ドメイン粒度と周波数ドメイン粒度の両方が物理層シグナリングによって指示され又は上位層シグナリングによって構成されること、
‐物理層シグナリングによる指示又は上位層シグナリングによる構成によって時間ドメイン粒度が決定され、決定された時間ドメイン粒度に基づいて周波数ドメイン粒度が決定されること、又は
‐物理層シグナリングによる指示又は上位層シグナリングによる構成によって周波数ドメイン粒度が決定され、決定された周波数ドメイン粒度に基づいて時間ドメイン粒度が決定されること、
のいずれかを含む。これにより、送信期間の短いサービスが占有する送信期間の長いサービスのリソースを受信側に指示するという課題が解決され、送信期間の短いサービスが占有する送信期間の長いサービスのリソースを受信側に指示するという効果を得ることができる。
【００１９】
上述のステップ１０２の技術的ソリューションは、以下のように理解することもできる。構成された時間・周波数リソース領域において、物理層シグナリングによって、第２の送信期間を有するサービスによって占有される第１の送信期間を有するサービスの時間・周波数リソースを指示することを含み、第１の送信期間は、第２の送信期間より長い。第２の送信期間を有するサービスによって占有される第１の送信期間を有するサービスの時間・周波数リソースを指示するための時間・周波数リソースの時間ドメイン粒度及び周波数ドメイン粒度の決定方式は、以下を含む。
‐時間ドメイン粒度及び周波数ドメイン粒度の一方の粒度は、以下の方式のうち少なくとも１つによって決定される。
‐物理層シグナリングによる指示又は上位層シグナリングによる構成。
‐時間ドメイン粒度及び周波数ドメイン粒度の他方の粒度が、以下の方式のうち少なくとも１つによって決定される。
‐粒度が、物理層シグナリングによる指示又は上位層シグナリングによる構成によって決定される。または、
‐時間ドメイン粒度と周波数ドメイン粒度の組み合わせは、以下の方式のうち１つによって決定される。
‐物理層シグナリングによる指示又は上位層シグナリングによる構成。
【００２０】
本開示の一実施形態では、時間・周波数リソース領域における時間ドメイン領域は、１又は複数のスロット、あるいは１又は複数の直交周波数分割多重（orthogonal frequency division multiplexing：ＯＦＤＭ）シンボルであり、対応するサブキャリア間隔は、同時に構成できる。周波数ドメイン領域は、１又は複数の物理リソースブランク（resource blank：ＲＢ）、あるいは１又は複数のリソースブランクグループ（resources blank group：ＲＢＧ）である。
【００２１】
本開示の一実施形態では、第１の送信期間を有するサービスは、１個のスロットを占有し、１４個のＯＦＤＭシンボルを含む拡張モバイルブロードバンド（enhanced mobile broadband：ｅＭＢＢ）サービスであり、第２の送信期間を有するサービスは、２個のＯＦＤＭシンボルを占有する超高信頼低遅延通信（ultra-reliable low-latency communication：ＵＲＬＬＣ）サービスであるが、これに限定されるものではない。
【００２２】
以下、実施形態を参照して上記技術的ソリューションを説明する。時間ドメイン粒度は、以下のうち少なくとも１つによって決定される。それが物理層シグナリングによって指示され又は上位層シグナリングによって構成されている場合、周波数ドメイン粒度は、決定された時間ドメイン粒度によって決定される（すなわち、周波数ドメイン粒度は、決定された時間ドメイン粒度に基づいて決定される）。周波数ドメイン粒度は、以下のうち少なくとも１つによって決定される。それが物理層シグナリングによって指示され又は上位層シグナリングによって構成されている場合、時間ドメイン粒度は、決定された周波数ドメイン粒度によって決定される（すなわち、周波数ドメイン粒度は、決定された時間ドメイン粒度に基づいて決定される）。
【００２３】
本開示の一実施形態における時間ドメイン粒度及び周波数ドメイン粒度の組み合わせは、時間ドメイン粒度ｘ及び周波数ドメイン粒度ｙの組み合わせ｛ｘ，ｙ｝を指すものとして理解できる。
【００２４】
すなわち、上記実施形態によれば、送信期間が長いサービスの性能への影響が低減され、占有されるリソースが受信側に指示されると同時に、受信側は、送信期間が長いサービスを受信及び復調する際に、エラーデータを除去でき、これによって、大量のデータの再送信、並びにエラーデータの蓄積及び拡散を回避し、占有されるリソースのみを送信できる。
【００２５】
一実施形態では、物理層シグナリングによって指示される時間ドメイン粒度及び／又は周波数ドメイン粒度は、集合の要素であり、ここで、集合は、事前定義された集合又は上位層シグナリングによって通知される集合である。
【００２６】
一実施形態では、集合は、以下の少なくとも１つに基づいて異なる値を有する要素の集合として決定される。
【００２７】
‐異なる時間ドメイン領域のサイズ：一実施形態では、時間ドメイン粒度は、ｘ個のＯＦＤＭシンボルであり、Ｎ＝１スロットの場合、ｘの値集合は、１、２、４、７であり、Ｎ＝２スロットの場合、ｘの値集合は、２、４、７、１４である。
【００２８】
‐異なる周波数ドメイン領域のサイズ：一実施形態では、周波数ドメイン粒度ｙは、周波数ドメイン領域の一定の割合であり、周波数ドメイン領域が１００個の物理リソースブロック（physical resource block：ＰＲＢ）を含む場合、ｙの値集合は、１、１／２、１／４、１／８を含み、周波数ドメインが２０個のＰＲＢを含む場合、ｙの値集合は、１、１／２を含む。
【００２９】
‐異なるサブキャリア間隔（subcarrier spacing：ＳＣＳ）のサイズ：一実施形態では、時間ドメイン粒度は、ｘ個のＯＦＤＭシンボルであり、サブキャリア間隔ＳＣＳ＝１５ｋＨｚの場合、ｘの値集合は、少なくとも１、２を含み、ＳＣＳ＝３０ｋＨｚの場合、ｘの値集合は、少なくとも２、４を含み、ＳＣＳ＝６０ｋＨｚの場合、ｘの値集合は、少なくとも７を含む。
【００３０】
一実施形態では、時間ドメイン粒度は、少なくとも、第１の指定数のシンボル（１又は複数のシンボル）と、第１の所定のパターンとのうちの１つを含み、周波数ドメイン粒度は、少なくとも、指定比率の帯域幅と、第２の所定のパターンとのうちの１つを含み、本開示の実施形態では、時間ドメイン粒度は、１個又は２個又は４個又は７個のＯＦＤＭシンボルとすることができ、所定のパターンは、［４，４，４，２］シンボルとすることができるが、パターンはこれに限定されるものではない。
【００３１】
周波数ドメイン粒度は、周波数ドメイン領域帯域幅の１倍、１／２倍、１／４倍、又は１／８倍とすることができる。
【００３２】
周波数ドメインパターンは、周波数ドメイン領域の［１／４，１／４，１／４，１／２］倍とすることができるが、これに限定されるものではない。
【００３３】
一実施形態では、第１の指定数のシンボルは、１個の直交周波数分割多重（ＯＦＤＭ）シンボル、２個のＯＦＤＭシンボル、４個のＯＦＤＭシンボル、及び、７個のＯＦＤＭシンボル、のうちの少なくとも１つを含む。
【００３４】
一実施形態では、構成された時間・周波数リソース領域において、物理層シグナリングによって、第２の送信期間を有するサービスによって占有される第１の送信期間を有するサービスの時間・周波数リソースを指示することは、時間ドメイン粒度の値が周波数ドメイン粒度の値と１対１の対応関係にあることを含む。
【００３５】
一実施形態では、この方法は、更に、次のものを含む。
【００３６】
‐構成された時間・周波数リソース領域において、時間ドメイン粒度及び周波数ドメイン粒度を決定した後、決定された時間ドメイン粒度及び決定された周波数ドメイン粒度に基づいて、時間・周波数リソース領域の複数のリソースサブブロック領域（又はリソースサブブロック）を分割し、物理層シグナリングによって、第２の送信期間を有するサービスによって占有されるリソースサブブロック（又はリソースサブブロック）を指示することを含む。本開示の一実施形態における物理層シグナリングは、ビットマップによって実現でき、各ビットは、リソースサブブロックに対応し、これらがパンクチャリングされるか否かを示す。リソースサブブロックによって占有される時間・周波数ドメインリソースは、時間ドメインでは時間ドメイン粒度に等しく、周波数ドメインでは周波数ドメイン粒度に等しい。
【００３７】
一実施形態では、構成された時間・周波数リソース領域において、物理層シグナリングによって、第２の送信期間を有するサービスによって占有される第１の送信期間を有するサービスの時間・周波数リソースを指示することは、次のものを含む。
【００３８】
‐時間・周波数リソース領域の時間ドメイン領域が複数のスロットを含む場合、第２の送信期間を有するサービスによって占有される第１の送信期間を有するサービスのスロット位置と、占有されるスロット内の占有されるリソースサブブロックの位置とを指示することと、リソースサブブロックに対応する周波数ドメイン粒度が時間・周波数リソース領域の周波数ドメイン領域全体である場合、占有されるスロットの数に基づいて、占有されるスロットにおける占有されるシンボル位置の時間ドメイン粒度を決定すること又は占有されるスロットの数に基づいて、リソースサブブロックに対応する時間ドメイン粒度及び周波数ドメイン粒度を個別に決定すること。
【００３９】
一実施形態では、リソースサブブロックに対応する周波数ドメイン粒度が時間・周波数リソース領域の周波数ドメイン領域全体である場合、占有されるスロットの数に基づいて占有されるスロット内の占有されるシンボル位置の時間ドメイン粒度を決定することは、更に、時間・周波数リソース領域の時間ドメイン領域におけるパンクチャリングされるスロットの数がそれぞれＸ１及びＸ２である場合、選択される時間ドメイン粒度は、それぞれＹ１個のＯＦＤＭシンボル及びＹ２個の直交周波数分割多重（ＯＦＤＭ）シンボルであり、Ｘ１＜Ｘ２のとき、Ｙ１≦Ｙ２であることを含む。
【００４０】
時間・周波数リソース領域内の時間ドメイン領域におけるパンクチャリングされるスロットの数が１である場合、選択される時間ドメイン粒度は、１個の直交周波数分割多重（ＯＦＤＭ）シンボルである。
【００４１】
時間・周波数リソース領域内の時間ドメイン領域におけるパンクチャリングされるスロットの数が２である場合、選択される時間ドメイン粒度は、２個のＯＦＤＭシンボルである。
【００４２】
時間・周波数リソース領域内の時間ドメイン領域におけるパンクチャリングされるスロットの数が４である場合、選択される時間ドメイン粒度は、７個のＯＦＤＭシンボルである。
【００４３】
時間・周波数リソース領域内の時間ドメイン領域におけるパンクチャリングされるスロットの数が８である場合、選択される時間ドメイン粒度は、１４個のＯＦＤＭシンボルである。
【００４４】
一実施形態では、この方法は、更に、以下を含む：
‐ビットマップ方式によって、第２の送信期間を有するサービスによって占有される第１の送信期間を有するサービスのスロット位置（又はスロット）を指示し、占有されるスロットの数に基づいて時間ドメイン粒度及び周波数ドメイン粒度を決定すること
‐物理層シグナリングによる指示によって時間ドメイン粒度及び周波数ドメイン粒度のうちの少なくとも１つを決定すること、または
‐決定された時間ドメイン粒度及び決定された周波数ドメイン粒度に基づいて、占有されるスロットの複数のリソースサブブロックを分割すること、
‐ビットマップ方式によって、占有されるスロット内の占有リソースサブブロックを指示すること。
【００４５】
一実施形態では、この方法において、時間ドメイン粒度を、ｘ個のＯＦＤＭシンボルに対応するサブキャリア間隔として構成又は指示する決定方式は、第１の送信期間を有するサービスのサブキャリア間隔と同じとすること、又はｘ個のＯＦＤＭシンボルを構成又は指示すると同時に、ｘ個のＯＦＤＭシンボルに対応するサブキャリア間隔を構成することを含み、ｘは、正の整数である。
【００４６】
一実施形態では、時間・周波数リソース領域の時間ドメイン領域は、上位層シグナリングによってＮ個のスロットとして構成され、Ｎの値範囲は、少なくとも以下の決定方式のうちの１つに従って決定される。
【００４７】
‐低周波通信シナリオ及び高周波通信シナリオに応じてＮの異なる値範囲を決定する。本開示の実施形態では、高周波通信シナリオ及び低周波通信シナリオとして、６ＧＨｚ未満のものを低周波通信シナリオ、６ＧＨｚ以上のものを高周波通信シナリオと呼び、又は４Ｇ通信に対応する２ＧＨｚ未満を低周波通信シナリオ、２ＧＨｚ以上の３．５ＧＨｚ等を高周波通信シナリオと呼ぶが、これに限定されるものではない。
【００４８】
‐Ｃ個のスロットである監視周期に基づいて決定し、監視周期は、物理層シグナリングを監視するように構成され、Ｎの値は、Ｃ以下であり、一実施形態では、Ｎ＝Ｃ、Ｎ＝Ｃ−１、又はＮ＝Ｃ／２である。
【００４９】
‐ｋ個のスロットの処理遅延に基づいて決定し、Ｎの値は、ｋ以下であり、一実施形態では、Ｎ＝ｋ、Ｎ＝ｋ−１、又はＮ＝ｋ／２であり、ここで、ｋは、第１の送信期間を有するサービスを受けるユーザ機器（ＵＥ）の処理遅延、ＵＥが属するＵＥのグループの平均ｋ値、ＵＥが属するＵＥのグループの最小ｋ値、又はＵＥが属するＵＥのグループの最大ｋ値である。
【００５０】
通知は、占有されるスロット位置と、占有されるスロット内で占有されるシンボル位置とを指示し、占有されるスロット内の占有されるシンボル位置の時間ドメイン粒度は、占有されるスロット位置の数に応じて決定される。すなわち、本開示の一実施形態では、占有されるスロットの数が少ない場合、占有されるスロット内で指示される占有されるＯＦＤＭシンボル位置の時間ドメイン粒度はより小さく、逆に、占有されるスロットの数が多い場合、占有されるスロット内で指示される占有されるＯＦＤＭシンボル位置の時間ドメイン粒度はより大きい。すなわち、占有されるスロットの数に基づいて、占有されるスロット内で指示される占有されるＯＦＤＭシンボル位置の時間ドメイン粒度が決定される。
【００５１】
一実施形態では、時間・周波数リソース領域内の時間ドメイン領域がＸ１個のスロットとＸ２個のスロットとでそれぞれ構成される場合、上位層シグナリングによって構成される時間ドメイン粒度は、それぞれＹ１個のＯＦＤＭシンボル、Ｙ２個のＯＦＤＭシンボルであり、Ｘ１＜Ｘ２の場合、Ｙ１≦Ｙ２である。
【００５２】
以上の実施形態の説明から、上記の実施形態の方法は、必要とされる汎用のハードウェアプラットフォームと共にソフトウェアによって実現してもよく、ハードウェアだけで実現してもよく、多くの条件において、ソフトウェアによる実現が好ましいことは、当業者にとって明らかであり、このような理解に基づき、本開示の技術的ソリューションは、ソフトウェア製品の形態で具現化することができ、このコンピュータソフトウェア製品は、記憶媒体（例えば、読取り専用メモリ（Read-Only Memory：ＲＯＭ）／ランダムアクセスメモリ（random access memory：ＲＡＭ）ディスク、光ディスク）に格納され、１個の端末装置（携帯電話、コンピュータ、サーバ、ネットワーク機器等とすることができる）が本開示の実施形態に記載された１又は複数の方法を実行することを可能にする複数の命令を含む。
【００５３】
＜実施形態２＞
【００５４】
本実施形態は、リソースを指示するための装置を提供するものであり、この装置は、先の実施形態を実現するように構成されるため、重複する説明は行わない。以下で使用する用語「モジュール」は、所定の機能を有するソフトウェア及び／又はハードウェアの組み合わせによって実現することができる。なお、以下の実施形態で説明する装置は、ソフトウェアで実現することが好ましいが、ハードウェアで実現してもよく、ソフトウェアとハードウェアの組み合わせも実現可能であり、考え得る。
【００５５】
図２は、本開示の一実施形態に基づく、リソースを指示するための装置のブロック図である。図２に示すように、この装置は、構成された時間・周波数リソース領域において、物理層シグナリングによって第２の送信期間を有するサービスによって占有される第１の送信期間を有するサービスの時間・周波数リソースを指示するように構成された指示モジュール２０を備え、第１の送信期間は、第２の送信期間より長い。
【００５６】
一実施形態では、第２の送信期間を有するサービスによって占有される第１の送信期間を有するサービスの時間・周波数リソースに対応する時間ドメイン粒度及び周波数ドメイン粒度の決定方式は、少なくとも以下のいずれかを含む：
‐時間ドメイン粒度と周波数ドメイン粒度の両方が物理層シグナリングによって指示され又は上位層シグナリングによって構成される。
‐物理層シグナリングによる指示又は上位層シグナリングによる構成によって時間ドメイン粒度が決定され、決定された時間ドメイン粒度に基づいて周波数ドメイン粒度が決定される。
‐物理層シグナリングによる指示又は上位層シグナリングによる構成によって周波数ドメイン粒度が決定され、決定された周波数ドメイン粒度に基づいて時間ドメイン粒度が決定される。
【００５７】
本開示によれば、構成された時間・周波数リソース領域において、物理層シグナリングによって、第２の送信期間を有するサービスによって占有される第１の送信期間を有するサービスの時間・周波数リソースを指示でき、第１の送信期間は、第２の送信期間より長く、時間ドメイン粒度及び周波数ドメイン粒度の決定方式は、以下を含む。
‐時間ドメイン粒度及び周波数ドメイン粒度の一方の粒度は、以下の方式のうち少なくとも１つによって決定される。
‐物理層シグナリングによる指示又は上位層シグナリングによる構成。
‐時間ドメイン粒度及び周波数ドメイン粒度の他方の粒度は、少なくとも以下の方式によって決定される。
‐粒度が物理層シグナリングによる指示又は上位層シグナリングによる構成によって決定される。または、
‐時間ドメイン粒度と周波数ドメイン粒度の組み合わせは、は、以下の方式のうち１つによって決定される。
‐物理層シグナリングによる指示又は上位層シグナリングによる構成。
これにより、送信期間の短いサービスが占有する送信期間の長いサービスのリソースを受信側に指示するという課題が解決され、送信期間の短いサービスが占有する送信期間の長いサービスのリソースを受信側に指示するという効果を得ることができる。
【００５８】
本開示の一実施形態では、時間・周波数リソース領域内の時間ドメイン領域は、１又は複数のスロット又は１又は複数のＯＦＤＭシンボルであり、対応するサブキャリア間隔は、同時に構成できる。周波数ドメイン領域は、１又は複数の物理リソースブランク（resource blank：ＲＢ）、あるいは１又は複数のリソースブランクグループ（resources blank group：ＲＢＧ）である。
【００５９】
本開示の一実施形態では、第１の送信期間を有するサービスは、１個のスロットを占有し、１４個のＯＦＤＭシンボルを含むｅＭＢＢサービスであり、第２の送信期間を有するサービスは、２個のＯＦＤＭシンボルを占有するＵＲＬＬＣサービスであるが、これに限定されるものではない。
【００６０】
本開示の一実施形態では、物理層シグナリングによって指示される時間ドメイン粒度及び／又は周波数ドメイン粒度は、集合内の要素であり、ここで、集合は、事前定義された集合又は上位層シグナリングによって通知される集合である。
【００６１】
本開示の一実施形態では、集合は、以下の少なくとも１つに基づいて異なる値を有する要素の集合として決定される。
【００６２】
‐異なる時間ドメイン領域のサイズ：一実施形態では、時間ドメイン粒度は、ｘ個のＯＦＤＭシンボルであり、Ｎ＝１スロットの場合、ｘの値集合は、１、２、４、７であり、Ｎ＝２スロットの場合、ｘの値集合は、２、４、７、１４である。
【００６３】
‐異なる周波数ドメイン領域のサイズ：一実施形態では、周波数ドメイン粒度ｙは、周波数ドメイン領域の一定の割合であり、周波数ドメイン領域が１００個のＰＲＢを含む場合、ｙの値集合は、１、１／２、１／４、１／８を含み、周波数ドメインが２０個のＰＲＢを含む場合、ｙの値集合は、１、１／２を含む。
【００６４】
‐異なるサブキャリア間隔のサイズ：一実施形態では、時間ドメイン粒度は、ｘ個のＯＦＤＭシンボルであり、サブキャリア間隔ＳＣＳ＝１５ｋＨｚの場合、ｘの値集合は、少なくとも１、２を含み、ＳＣＳ＝３０ｋＨｚの場合、ｘの値集合は、少なくとも２、４を含み、ＳＣＳ＝６０ｋＨｚの場合、ｘの値集合は、少なくとも７を含む。
【００６５】
一実施形態では、時間ドメイン粒度は、少なくとも、第１の指定数のシンボル（１又は複数のシンボル）と、第１の所定のパターンとのうちの１つを含み、周波数ドメイン粒度は、少なくとも、指定比率の帯域幅と、第２の所定のパターンとのうちの１つを含み、本開示の一実施形態では、時間ドメイン粒度は、１個又は２個又は４個又は７個のＯＦＤＭシンボルとすることができ、所定のパターンは、［４，４，４，２］シンボルとすることができるが、パターンはこれに限定されるものではない。
【００６６】
周波数ドメイン粒度は、周波数ドメイン領域帯域幅の１倍、１／２倍、１／４倍、又は１／８倍とすることができる。
【００６７】
周波数ドメインパターンは、周波数ドメイン領域の［１／４，１／４，１／４，１／２］倍とすることができるが、これに限定されるものではない。
【００６８】
本開示の一実施形態では、第１の指定数のシンボルは、１個の直交周波数分割多重（ＯＦＤＭ）シンボル、２個のＯＦＤＭシンボル、４個のＯＦＤＭシンボル、及び、７個のＯＦＤＭシンボル、のうちの少なくとも１つを含む。
【００６９】
本開示の一実施形態では、構成された時間・周波数リソース領域において、物理層シグナリングによって、第２の送信期間を有するサービスによって占有される第１の送信期間を有するサービスの時間・周波数リソースを指示することは、時間ドメイン粒度の値が周波数ドメイン粒度の値と１対１の対応関係にあることを含む。
【００７０】
本開示の一実施形態では、構成された時間・周波数リソース領域において、時間ドメイン粒度及び周波数ドメイン粒度を決定した後、決定された時間ドメイン粒度及び決定された周波数ドメイン粒度に基づいて、時間・周波数リソース領域の複数のリソースサブブロック領域（又はリソースサブブロック）を分割し、第２の送信期間を有するサービスによって占有されるリソースサブブロック領域（又はリソースサブブロック）は、物理層シグナリングによって、ビットマップ方式で指示され（すなわち、本開示の実施形態における物理層シグナリングは、ビットマップによって表すことができる）、本開示の実施形態では、リソースサブブロックによって占有される時間・周波数ドメインリソースは、時間ドメイン上の時間ドメイン粒度に等しく、周波数ドメイン上の周波数ドメイン粒度に等しい。
【００７１】
本開示の一実施形態では、時間・周波数リソース領域の時間ドメイン領域が複数のスロットを含む場合、第２の送信期間を有するサービスによって占有される第１の送信期間を有するサービスのスロット位置と、占有されるスロット内の占有されるリソースサブブロックの位置とが指示され、リソースサブブロックに対応する周波数ドメイン粒度が、時間・周波数リソース領域の周波数ドメイン領域全体である場合、占有されるスロットにおける占有されるシンボル位置の時間ドメイン粒度は、占有されるスロットの数に基づいて決定され、又はリソースサブブロックに対応する時間ドメイン粒度及び周波数ドメイン粒度は、占有されるスロットの数に基づいて個別に決定される。
【００７２】
本開示の一実施形態では、リソースサブブロックに対応する周波数ドメイン粒度が時間・周波数リソース領域の周波数ドメイン領域全体である場合、占有されるスロットの数に基づいて占有されるスロット内の占有されるシンボル位置の時間ドメイン粒度を決定することは、時間・周波数リソース領域の時間ドメイン領域におけるパンクチャリングされるスロットの数がそれぞれＸ１及びＸ２である場合、選択される時間ドメイン粒度は、それぞれＹ１個のＯＦＤＭシンボル及びＹ２個の直交周波数分割多重（ＯＦＤＭ）シンボルであり、Ｘ１＜Ｘ２のとき、Ｙ１≦Ｙ２であることを含む。
【００７３】
時間・周波数リソース領域内の時間ドメイン領域におけるパンクチャリングされるスロットの数が１である場合、選択される時間ドメイン粒度は、１個のＯＦＤＭシンボルである。
【００７４】
時間・周波数リソース領域内の時間ドメイン領域におけるパンクチャリングされるスロットの数が２である場合、選択される時間ドメイン粒度は、２個のＯＦＤＭシンボルである。
【００７５】
時間・周波数リソース領域内の時間ドメイン領域におけるパンクチャリングされるスロットの数が４である場合、選択される時間ドメイン粒度は、７個のＯＦＤＭシンボルである。
【００７６】
時間・周波数リソース領域内の時間ドメイン領域におけるパンクチャリングされるスロットの数が８である場合、選択される時間ドメイン粒度は、１４個のＯＦＤＭシンボルである。
【００７７】
本開示の一実施形態では、指示モジュールは、
‐ビットマップ方式によって、第２の送信期間を有するサービスによって占有される第１の送信期間を有するサービスのスロット位置（又はスロット）を指示し、占有スロットの数に基づいて時間ドメイン粒度及び周波数ドメイン粒度を決定し、又は、
‐物理層シグナリングによる指示によって時間ドメイン粒度及び周波数ドメイン粒度の少なくとも１つを決定し、
‐決定された時間ドメイン粒度及び決定された周波数ドメイン粒度に基づいて、占有されるスロットの複数のリソースサブブロックを分割し、および、
‐ビットマップ方式によって、占有スロット内の占有リソースサブブロックを指示する、
ように更に構成される。
【００７８】
本開示の一実施形態では、時間ドメイン粒度を、ｘ個のＯＦＤＭシンボルに対応するサブキャリア間隔として構成又は指示する決定方式は、
‐第１の送信期間を有するサービスのサブキャリア間隔と同じとすること、又は、
‐ｘ個のＯＦＤＭシンボルを構成又は指示すると同時に、ｘ個のＯＦＤＭシンボルに対応するサブキャリア間隔を構成すること
を含み、ｘは、正の整数である。
【００７９】
本開示の一実施形態では、時間・周波数リソース領域内の時間ドメイン領域は、上位層シグナリングによってＮ個のスロットとして構成され、Ｎの値範囲は、少なくとも以下の決定方式のうちの１つに従って決定される。
【００８０】
‐低周波通信シナリオ及び高周波通信シナリオに応じてＮの異なる値範囲を決定する。
【００８１】
‐Ｃ個のスロットである監視周期に基づいて決定し、監視周期は、物理層シグナリングを監視するように構成され、Ｎの値はＣ以下であり、一実施形態では、Ｎ＝Ｃ、Ｎ＝Ｃ−１、又はＮ＝Ｃ／２である。
【００８２】
‐ｋ個のスロットの処理遅延に基づいて決定し、Ｎの値はｋ以下であり、一実施形態では、Ｎ＝ｋ、Ｎ＝ｋ−１、又はＮ＝ｋ／２であり、ここで、ｋは、第１の送信期間を有するサービスを受けるＵＥの処理遅延、ＵＥが属するＵＥのグループの平均ｋ値、ＵＥが属するＵＥのグループの最小ｋ値、又はＵＥが属するＵＥのグループの最大ｋ値である。
【００８３】
通知は、占有されるスロット位置と、占有されるスロット内で占有されるシンボル位置とを指示し、占有されるスロット内の占有されるシンボル位置の時間ドメイン粒度は、占有されるスロット位置の数に応じて決定される。すなわち、本開示の一実施形態では、占有されるスロットの数が少ない場合、占有されるスロット内で指示される占有されるＯＦＤＭシンボル位置の時間ドメイン粒度はより小さく、逆に、占有されるスロットの数が多い場合、占有されるスロット内で指示される占有されるＯＦＤＭシンボル位置の時間ドメイン粒度はより大きい。すなわち、占有されるスロットの数に基づいて、占有されるスロット内で指示される占有されるＯＦＤＭシンボル位置の時間ドメイン粒度が決定される。
【００８４】
一実施形態では、時間・周波数リソース領域内の時間ドメイン領域がＸ１個のスロットとＸ２個のスロットとでそれぞれ構成される場合、上位層シグナリングによって構成される時間ドメイン粒度は、それぞれＹ１個のＯＦＤＭシンボル、Ｙ２個のＯＦＤＭシンボルであり、Ｘ１＜Ｘ２の場合、Ｙ１≦Ｙ２である。
【００８５】
上記の１又は複数のモジュールは、ソフトウェアで実現することもでき、ハードウェアで実現することもできる。ハードウェアについては、以下に限定されるものではないが、上記のモジュールを同じプロセッサに配置してもよく、上記の１又は複数のモジュールをそれぞれ異なるプロセッサに任意の組み合わせで配置してもよい。
【００８６】
＜実施形態３＞
【００８７】
以下では、実施形態と組み合わせて上記のリソース指示フローを説明するが、本開示の実施形態の技術的ソリューションは、以下に限定されない。
【００８８】
実例１
【００８９】
基地局が、端末Ａに物理ダウンリンク共有チャネル（physical downlink shared channel：ＰＤＳＣＨ）１を送信し、ＰＤＳＣＨ１の送信期間（上記実施形態の第１の送信期間に対応）は、Ｔ１である。本実施形態では、Ｔ１は、一例として、１個のスロットであり、１４個のＯＦＤＭシンボルを含むが、これに限定されるものではない。Ｔ１は、他の時間単位とすることができる。ＰＤＳＣＨ１送信において、基地局は、更に端末ＢにＰＤＳＣＨ２を送信し、ＰＤＳＣＨ２の送信期間（上記実施形態の第２の送信期間に対応）は、Ｔ２であり、Ｔ２＜Ｔ１又はＴ２≦Ｔ１である。なお、本実施形態では、Ｔ２について、ＯＦＤＭ又はＯＦＤＭシンボルグループを一例として説明しているが、これに限定されるものではない。Ｔ２は、他の時間単位であってもよい。ＰＤＳＣＨ２が使用するリソースの一部又は全ては、ＰＤＳＣＨ１から占有され、すなわち、ＰＤＳＣＨ１は、パンクチャリングされて送信される。次のスロットにおいて、基地局は、パンクチャリング指示を端末Ａに通知し、すなわち、ＰＤＳＣＨ２がリソース指示を占有する。パンクチャリング指示の方式は、以下の少なくとも１つを含む。
【００９０】
例１：時間ドメインリソースのみを指示
【００９１】
例えば、ＯＦＤＭシンボルを指示粒度として、パンクチャリングされる時間ドメインシンボルの数及び位置は、１、２、…、Ｌ（ここで、Ｌは、スロットに含まれるＯＦＤＭシンボルの数である）として指示される。本例では、Ｌ＝１４である。この場合、１４ビットのビットマップ方式を用いて、パンクチャリングされるシンボルの位置を指示する。すなわち、本例では、ＯＦＤＭシンボルのみを例にしている。他の時間単位（シンボルグループ等）を用いることができる。シンボルグループが２個のＯＦＤＭシンボルを含む場合、７ビットのビットマップを使用できる。シンボルグループが３個又は４個のシンボルを含み、１４個のシンボルが４−３−４−３シンボルグループとして分割されている場合、４ビットのビットマップを用いることができる。シンボルグループが２個又は３個のシンボルを含み、１４個のシンボルが３−２−２−２−２−３シンボルグループとして分割されている場合、６ビットのビットマップを用いることができる。他の場合も同様であり、説明はこれ以上繰り返さない。
【００９２】
他の例では、ＯＦＤＭシンボルが指示粒度であり、パンクチャリングされる時間ドメインシンボルの数及び位置は、１、２、…、Ｌとして指示され、ここで、０＜Ｎ＜Ｌであり、Ｌは、スロットに含まれるＯＦＤＭシンボルの数である。例えば、Ｌ＝１４、Ｎ＝４の場合、状態総数は、１４＋９１＋３６４＋１００１＝１４７０として指示され、パンクチャリングされるシンボルの数が４より大きい場合、パンクチャリングされるリソースが多すぎるとみなされ、全てをパンクチャリングすることが指示され、この場合、１個の状態指示が要求される。すなわち、指示ビット数＝１１ビットである。すなわち、本例では、ＯＦＤＭシンボルを例に挙げているが、他の時間単位（シンボルグループ等）とすることができる。シンボルグループが２個のＯＦＤＭシンボルを含む場合、パンクチャリングされるシンボルグループの数は、１、２、…、Ｎ個のシンボル及び位置として指示され、ここで、０＜Ｎ＜Ｌであり、Ｌは、スロットに含まれるＯＦＤＭシンボルの数である。例えば、Ｌ＝７、Ｎ＝２の場合、状態総数は、７＋２１＝２８として指示される。パンクチャリングされるシンボルの数が２より大きい場合、パンクチャリングされるリソースが多すぎるとみなされ、全てをパンクチャリングすることが指示され、この場合、１個の状態指示が要求され、すなわち、指示ビット数＝５ビットである。他の場合も同様であり、説明はこれ以上繰り返さない。
【００９３】
例２：時間ドメインリソース及び周波数ドメインリソースをそれぞれ指示
【００９４】
例えば、時間ドメインは、例１と同様の手法で指示される。周波数ドメインリソースは、等間隔比例係数指示又は不等間隔比例係数指示として指示される。等間隔比例係数指示には、１ビットを使用して周波数ドメインリソースの５０％及び１００％がパンクチャリングされることを指示、２ビットを使用して周波数ドメインリソースの２５％、５０％、７５％、及び１００％がパンクチャリングされることを指示、又は２ビットを使用して周波数ドメインリソースの２０％、４０％、６０％、及び８０％がパンクチャリングされることを指示、等が含まれる。不等間隔比例係数指示には、１ビットを使用して周波数ドメインリソースの３０％及び１００％がパンクチャリングされることを指示、又は、２ビットを使用して周波数ドメインリソースの１０％、３０％、５０％、及び１００％を指示、等が含まれる。
【００９５】
例３：時間ドメインリソース及び周波数ドメインリソースを共同で指示
【００９６】
パンクチャリングされる２次元リソース単位Ｕを固定ビットオーバヘッドのビットマップ方式で指示し、時間ドメイン粒度及び周波数ドメイン粒度の一方を事前定義又は構成によって取得し、時間ドメイン粒度及び周波数ドメイン粒度の他方を２次元リソース単位Ｕと組み合わせて暗黙的に取得する。
【００９７】
時間ドメイン粒度ＴをＯＦＤＭシンボル又はＯＦＤＭシンボルグループとし、周波数ドメイン粒度ＦをＲＢＧ又はＲＢＧグループとする。２次元リソース単位は、Ｕ個の時間・周波数リソースブロックとして定義される（例えば、直交周波数分割多重シンボル（OFDM symbol：ＯＳと略す）＊ＲＢＧであり、時間ドメインの単位はＯＳであり、周波数ドメインの単位はＲＢＧである）。例えば、Ｕ＝８（ＯＳ＊ＲＢＧ）が定義され、時間ドメイン粒度Ｔは、１個、２個、及び４個のＯＦＤＭシンボルのいずれかとして構成でき、この場合、周波数ドメイン粒度Ｆ＝Ｕ／Ｔは、８個、４個、及び２個のＲＢＧのいずれかである。パンクチャリング指示は、常に１４ビットであり、パンクチャリング／占有されるリソースは、Ｕ１〜Ｕ１４の１又は複数として指示される。図３に示すように、時間ドメイン範囲は、１４個のＯＦＤＭシンボルを含む１スロットとして指示され、周波数ドメイン範囲は、８個のＲＢＧとして指示され、時間ドメイン粒度Ｔが１、２、４ＯＳであり、周波数ドメイン粒度Ｆが８、４、２ＲＢＧである場合には、総数１４個の２次元リソース単位のうち、パンクチャリング／占有される数と位置は、常に１４ビットのビットマップで指示される。一実施形態では、時間ドメイン粒度が時間ドメイン範囲で割り切れない場合、２個のタイプの時間ドメイン粒度が同時に存在することが許されるが、２次元リソース単位の数は、同じままである。あるいは、周波数ドメイン粒度が周波数ドメイン範囲で割り切れない場合、２個のタイプの周波数ドメイン粒度が同時に存在することが許されるが、２次元リソース単位の数は、同じままである。
【００９８】
例４：時間ドメインリソース及び周波数ドメインリソースを共同で指示
【００９９】
パンクチャリングされる時間・周波数リソース領域を圧縮状態方式で指示し、時間・周波数リソース領域内の時間ドメイン粒度をダウンリンク制御情報（downlink control information：ＤＣＩ）により指示、事前定義、又は構成することにより取得し、周波数ドメイン粒度を時間ドメイン粒度により暗黙的に決定する。
【０１００】
時間ドメイン粒度ＴをＯＦＤＭシンボル又はＯＦＤＭシンボルグループとし、周波数ドメイン粒度ＦをＲＢＧ又はＲＢＧグループとする。２次元リソース単位は、Ｕ個のＯＳ＊ＲＢＧとして定義される。例えば、Ｕ＝８（ＯＳ＊ＲＢＧ）が定義され、時間ドメイン粒度Ｔは、１個、２個、及び４個のＯＦＤＭシンボルのいずれかとして構成でき、この場合、周波数ドメイン粒度Ｆ＝Ｕ／Ｔは、８個、４個、及び２個のＲＢＧのいずれかである。パンクチャリング指示は、パンクチャリング単位の数がＰ以下の場合にのみ使用される。例えば、Ｐ＝４の場合、図３に示すように、常にＱ＝１４のパンクチャリング単位に分割され、１〜１４又は０〜１３の番号が付される。この場合、状態総数は、１４＋９１＋３６４＋１００１＝１４７０として指示される。パンクチャリング単位の数が４を超える場合、パンクチャリングされるリソースが多すぎるとみなされ、全てをパンクチャリングすることが指示され、この場合、１個の状態指示が必要であり、すなわち、指示ビット数＝１１ビットである。
【０１０１】
本実施形態で説明したリソース指示方法によれば、指示オーバヘッドが固定されている状況下で、同じ時間ドメイン粒度および異なる複数の時間ドメイン粒度に適応したリソース指示を実現し、パンクチャリングされるデータ送信はパンクチャリングしているリソースの位置を取得でき、大量のデータの再送信、並びにエラーデータの蓄積及び拡散を回避し、占有されるリソースのみを送信できるので、システムのスペクトル効率を向上させることができる。
【０１０２】
実例２
【０１０３】
基地局は、端末ＡにＰＤＳＣＨ１を送信し、ＰＤＳＣＨ１の送信期間は、Ｔ１である。本実施形態では、Ｔ１は、一例としてＮ個のスロットであり、Ｎは、正の整数である。１個のスロットは、１４個のＯＦＤＭシンボルを含むが、これに限定されるものではない。Ｔ１は、他の時間単位とすることができる。ＰＤＳＣＨ１送信中に、基地局は、更に端末ＢにＰＤＳＣＨ２を送信し、ＰＤＳＣＨ２の送信期間は、Ｔ２であり、Ｔ２＜Ｔ１又はＴ２≦Ｔ１である。なお、本実施形態では、Ｔ２について、ＯＦＤＭ又はＯＦＤＭシンボルグループを一例として説明しているが、これに限定されるものではない。Ｔ２は、他の時間単位とすることができる。ＰＤＳＣＨ２が使用するリソースの一部又は全ては、ＰＤＳＣＨ１から占有され、すなわち、ＰＤＳＣＨ１は、パンクチャリングされて送信される。基地局は、予め設定された監視周期に対応するスロットにおけるパンクチャリング指示を端末Ａに通知し、これは、以下に限定されるものではないが、ＰＤＳＣＨ２占有リソースを含む。指示される時間ドメインリソース領域は、Ｎ個のスロット及び予め構成された周波数ドメイン範囲であり、指示される時間ドメイン粒度は、ｘ個のＯＦＤＭシンボルであり、指示される周波数ドメイン粒度は、ｙ個のＲＢである。パンクチャリング指示方法は、以下の少なくとも１つを含む。
【０１０４】
例１：時間ドメインリソースのみを指示
【０１０５】
例えば、Ｎ＝１個のスロットが構成されている場合、ｘ＝１個のＯＦＤＭシンボルが指示粒度として使用される。
【０１０６】
パンクチャリングされる時間ドメインシンボルの数及び位置は、１、２、…、Ｌとして指示され、ここで、Ｌは、スロットに含まれるＯＦＤＭシンボルの数である。本例では、Ｌ＝１４である。この場合、１４ビットのビットマップ方式を用いて、パンクチャリングされるシンボルの位置を指示する。すなわち、本例では、ＯＦＤＭシンボルのみを例にしているが、他の時間単位（シンボルグループ等）を使用できる。シンボルグループが２個のＯＦＤＭシンボルを含む場合、７ビットのビットマップを使用できる。シンボルグループが３個又は４個のシンボルを含み、１４個のシンボルが４−３−４−３シンボルグループとして分割されている場合、４ビットのビットマップを使用できる。シンボルグループが２個又は３個のシンボルを含み、１４個のシンボルが３−２−２−２−２−３シンボルグループとして分割されている場合、６ビットのビットマップを使用できる。他の場合も同様であり、説明はこれ以上繰り返さない。
【０１０７】
他の例では、ＯＦＤＭシンボルが指示粒度であり、パンクチャリングされる時間ドメインシンボルの数及び位置は、１、２、…、Ｍとして指示され、ここで、０＜Ｍ＜Ｌであり、Ｌは、スロットに含まれるＯＦＤＭシンボルの数である。例えば、Ｌ＝１４、Ｍ＝４の場合、状態総数は、１４＋９１＋３６４＋１００１＝１４７０として指示される。パンクチャリング単位の数が４より大きい場合、パンクチャリングされるリソースが多すぎるとみなされ、全てをパンクチャリングすることが指示され、この場合、１個の状態指示が要求され、すなわち、指示ビット数は、１１ビットである。すなわち、本例では、ＯＦＤＭシンボルのみを例にしている。他の時間単位（シンボルグループ等）を用いてもよい。シンボルグループが２個のＯＦＤＭシンボルを含む場合、パンクチャリングされるシンボルグループの数は、１、２、…、Ｍ個のシンボル及び位置として指示され、ここで、０＜Ｍ＜Ｌであり、Ｌは、スロットに含まれるＯＦＤＭシンボルの数である。例えば、Ｌ＝７、Ｍ＝２の場合、状態総数は、７＋２１＝２８として指示される。パンクチャリング単位の数が２より大きい場合、パンクチャリングされるリソースが多すぎるとみなされ、全てをパンクチャリングすることが指示され、この場合、１個の状態指示が要求される。すなわち、指示ビット数は、５ビットである。他の場合も同様であり、説明はこれ以上繰り返さない。
【０１０８】
例２：時間ドメインリソース及び周波数ドメインリソースをそれぞれ指示
【０１０９】
例えば、時間ドメインは、例１と同様の手法で指示される。周波数ドメインリソースは、等間隔比例係数指示又は不等間隔比例係数指示として指示される。等間隔比例係数指示には、１ビットを使用して周波数ドメインリソースの５０％及び１００％がパンクチャリングされることを指示、２ビットを使用して周波数ドメインリソースの２５％、５０％、７５％、及び１００％がパンクチャリングされることを指示、又は２ビットを使用して周波数ドメインリソースの２０％、４０％、６０％、及び８０％がパンクチャリングされることを指示等、が含まれる。不等間隔比例係数指示には、１ビットを使用して周波数ドメインリソースの３０％及び１００％がパンクチャリングされることを指示、又は、２ビットを使用して周波数ドメインリソースの１０％、３０％、５０％、及び１００％を指示、等が含まれる。
【０１１０】
例３：時間ドメインリソース及び周波数ドメインリソースを共同で指示
【０１１１】
パンクチャリングされる時間・周波数リソース領域をビットマップ方式又は状態圧縮方式で指示し、時間・周波数リソース領域内の時間ドメイン粒度をＤＣＩの指示又は構成によって取得し、周波数ドメイン粒度を時間ドメイン粒度からの暗黙的決定又は構成によって取得する。
【０１１２】
時間ドメイン粒度をｘ個のＯＦＤＭシンボルと仮定し、周波数ドメイン粒度をｙ個のＲＢ又はＲＢＧと仮定する。指示される時間・周波数ドメイン領域は、時間ドメイン上のＮ個のスロットを含み、周波数ドメイン上の帯域幅（ＢＷ）は、Ｙ個のＲＢを含む。
【０１１３】
方式１：時間ドメイン粒度は、ＤＣＩの指示又は構成によって取得され、周波数ドメイン粒度は、時間ドメイン粒度によって暗黙的に取得される。２次元リソース単位は、Ｕ個のＯＳ＊ＲＢＧとして定義される。例えば、Ｕ＝８（ＯＳ＊ＲＢＧ）が定義され、時間ドメイン粒度ｘは、１個、２個、及び４個のＯＦＤＭシンボルのうちの１つとして構成でき、この場合、周波数ドメイン粒度ｙ＝Ｕ／ｘは、８個、４個、及び２個のＲＢＧのうちの１つであり、パンクチャリング指示は、常に１４ビットであり、パンクチャリング／占有されるリソースがＵ１からＵ１４のうちの１又は複数であることを指示する。図３に示すように、時間ドメイン範囲は、１４個のＯＦＤＭシンボルを含むＮ＝１スロットとして指示され、周波数ドメイン範囲は、８個のＲＢＧとして指示される。時間ドメイン粒度ｘが１個、２個、４個のＯＳであり、周波数ドメイン粒度ｙが８個、４個、２個のＲＢＧである場合、合計１４個の２次元リソース単位におけるパンクチャリング／占有される数及び位置は、常に固定オーバヘッド（１４ビット等）のビットマップによって指示される。一実施形態では、時間ドメイン粒度が時間ドメイン範囲で割り切れない場合、２個のタイプの時間ドメイン粒度が同時に存在することが許容されるが、２次元リソース単位の数は、同じままであり、又は周波数ドメイン粒度が周波数ドメイン範囲で割り切れない場合、２個のタイプの周波数ドメイン粒度が同時に存在することが許容されるが、２次元リソース単位の数は、同じままである。
【０１１４】
あるいは、例えば、１４個のＯＦＤＭシンボルを含むＮ＝１スロットとして時間ドメイン範囲を指示し、８個のＲＢＧとして周波数ドメイン範囲を指示し、時間ドメイン粒度ｘが１個、２個、４個のＯＳの場合、周波数ドメイン粒度ｙは、８個、４個、２個のＲＢＧである。パンクチャリング位置状態圧縮指示とは、Ｑ＝１４個のパンクチャリング単位がリソース領域内のある時間ドメイン粒度及び周波数ドメイン粒度によって分割された後、２次元リソース単位におけるＰ＝４個以下のパンクチャリング／占有される数及び位置が１１ビットによって指示されることであり、１１ビットの決定方式では、状態総数は、１４＋９１＋３６４＋１００１＝１４７０として指示される。パンクチャリング単位の数が４を超える場合、パンクチャリングされるリソースが多すぎるとみなされ、全てをパンクチャリングすることが指示され、この場合、１個の状態指示が要求され、すなわち、指示ビット数は、１１ビットである。
【０１１５】
方式２：時間ドメイン粒度は、ＤＣＩの指示又は構成によって取得され、周波数ドメイン粒度は、時間ドメイン粒度によって暗黙的に取得される。時間ドメイン粒度ｘは、１個、２個、４個、７個のＯＦＤＭシンボル又は所定のパターンのいずれかとして構成でき、この場合、周波数ドメイン粒度ｙは、１００％ＢＷ、５０％ＢＷ、２５％ＢＷ、又は所定のパターンのいずれかとして構成でき、パンクチャリング指示は、常に、１４ビット又は１６ビット等の固定ビット数であり、パンクチャリング／占有されるリソースが、Ｕ１からＵ１４、又は、Ｕ１からＵ１６、のうちの１又は複数であることを指示する。更に、幾つかの可能な組合せとして表１に示すように、ｘとｙは、１対１の対応関係を満たし、この場合、オーバヘッドは、固定される。ＢＷ＝８ＲＢＧの場合、組み合わせの一部は、図３に示す通りとなり、ｘに対応するサブキャリア間隔の決定方式は、以下を含む。（方式１）占有されるリソースを伴うサービスが使用するサブキャリア間隔と同じとする。例えば、ＵＲＬＬＣサービスがｅＭＢＢサービスリソース送信を占有する場合、ｘに対応するサブキャリア間隔は、ｅＭＢＢサービスが使用するサブキャリア間隔と同じとする。（方式２）ｘの値を構成する際、対応するサブキャリア間隔も同時に構成する。例えば、次の値のうち少なくとも１つを構成する。ｘ＝１且つＳＣＳ＝１５ｋＨｚに対応，ｘ＝２且つＳＣＳ＝１５ｋＨｚに対応、ｘ＝１且つＳＣＳ＝３０ｋＨｚに対応、ｘ＝２且つＳＣＳ＝３０ｋＨｚに対応、ｘ＝４且つＳＣＳ＝３０ｋＨｚに対応、及びｘ＝７且つＳＣＳ＝６０ｋＨｚに対応。
【表１】
2020533925.tif 000001
【０１１６】
時間ドメイン範囲を指示するＮの値は、上位層シグナリングによって構成され、含まれるＲＢの数（周波数ドメイン範囲ＢＷを指示する）は、上位層シグナリングによって構成される。まず、ハイレベルシグナリングにより時間ドメイン領域のＮ個のスロットと周波数ドメイン範囲ＢＷを構成した後、パンクチャリング指示情報は、時間ドメイン粒度ｘ指示（インデクス指示とも呼べる）とパンクチャリング位置ビットマップ指示とを含む。
【０１１７】
例えば、Ｎを１スロットとして構成する場合、時間ドメイン粒度ｘ指示は、表２−１に示すように、２ビットを使用することによって、ｘを１、２、４（所定のパターン）、７のいずれかとして指示でき、パンクチャリング位置ビットマップ指示は、合計１４個の２次元リソース単位（パンクチャリングされるサブブロックとも呼ばれる）におけるパンクチャリング／占有される数と位置を１４ビットで表したものである。
【０１１８】
他の例として、Ｎを２個のスロットとして構成する場合、時間ドメイン粒度ｘ指示は、表２−１に示すように、２ビットを使用することによって、ｘを２、４（所定のパターンを含む）、７のいずれかとして指示でき、パンクチャリング位置ビットマップ指示は、合計１６個の２次元リソース単位（パンクチャリングされるサブブロックとも呼ばれる）内のパンクチャリング／占有される数と位置を１６ビットで表したものである。
【０１１９】
他の例として、上位層シグナリングによる構成によってＮの値を取得した後、ある定されたＮの値の場合に、ｘとｙの可能な組み合わせの数が決定され、番号によるインデクスが付され、組み合わせに対応するパンクチャリングされるサブブロックの数は、同じである。パンクチャリングされる位置情報が指示される場合、ｘとｙの組み合わせに対応するインデクスが指示され、ｘとｙのある組み合わせの状況下で分割された１又は複数のサブブロックがパンクチャリングされるか否かが指示される。表２及び表３に示すように、Ｎ＝１及びＮ＝２の指示は、２ビットを使用して｛ｘ，ｙ｝がインデクス０、１、２、及び３のうちの１つであることを指示し、パンクチャリング位置は、１４ビットのビット数によって、ある｛ｘ，ｙ｝の組み合わせで分割された１以上のサブブロックがパンクチャリングされるか否かを指示する。パンクチャリング指示に対応するＤＣＩフォーマットを表４に示す。
【表２】
2020533925.tif 000002
【表３】
2020533925.tif 000003
【表４】
2020533925.tif 000004
【０１２０】
あるいは、時間ドメイン範囲を示すＮの値は、上位層シグナリングによって構成され、含まれるＲＢの数（周波数ドメイン範囲ＢＷを指示する）は、上位層シグナリングにより構成される。まず、ハイレベルシグナリングにより時間ドメイン領域のＮ個スロットと周波数ドメイン範囲ＢＷを構成した後、パンクチャリング指示情報は、時間ドメイン粒度ｘ指示とパンクチャリング位置状態圧縮指示とを含む。例えば、Ｎを１スロットとして構成する場合、時間ドメイン粒度ｘ指示は、表２−１に示すように、２ビットを使用することによって、ｘを１、２、４（所定のパターン）、７のいずれかとして指示でき、パンクチャリング位置状態圧縮指示は、Ｑ＝１４個のパンクチャリング単位をリソース領域内のある時間ドメイン粒度と周波数ドメイン粒度で分割した後、２次元リソース単位におけるＰ＝４個以下のパンクチャリング／占有される数と位置を１１ビットによって指示することであり、１１ビットの決定方式では、状態総数は、１４＋９１＋３６４＋１００１＝１４７０として指示される。パンクチャリング単位の数が４を超える場合、パンクチャリングされるリソースが多すぎるとみなされ、全てをパンクチャリングすることが指示され、この場合、１個の状態指示が要求され、すなわち、指示ビット数は、１１ビットである。
【０１２１】
方式３：時間ドメイン粒度は、構成によって取得され、周波数ドメイン粒度は、時間ドメイン粒度によって暗黙的に取得され、又は事前構成によって取得されるか、又は時間・周波数ドメインを共同で構成することによって取得される。時間ドメイン粒度ｘは、１個、２個のＯＦＤＭシンボルのいずれか又は事前定義されたパターンのいずれかとして構成でき、事前定義されたパターンは、［３，２，２，２，２，３］ＯＦＤＭシンボル、［４，４，４，２］ＯＦＤＭシンボル、及び［４，３，４，３］ＯＦＤＭシンボルであり、周波数ドメイン粒度ｙは、１００％ＢＷ、５０％ＢＷ、２５％ＢＷ、又は予め定められたパターンのいずれかとして構成できる。あるいは、｛１，１００％ＢＷ｝、｛２，５０％ＢＷ｝、｛［４，２５％ＢＷ］，［４，２５％ＢＷ］，［４，２５％ＢＷ］，［２，５０％ＢＷ］｝、｛［４，２５％ＢＷ］，［３，５０％ＢＷ］，［４，２５％ＢＷ］，［３，２５％ＢＷ］｝、等のように、時間・周波数ドメインを｛ｘ，ｙ｝として共同で構成する。パンクチャリングを指示するオーバヘッドは、時間ドメイン粒度と周波数ドメイン粒度の異なる組み合わせに応じた可変ビット数（１０ビット、１２ビット、１４ビット、１６ビット、等）であり、パンクチャリング／占有されるリソースが、Ｕ１からＵ１０、Ｕ１からＵ１６、又は、Ｕ１からある値、のうちの１つであることを指示する。
【０１２２】
なお、本実施形態における所定パターンの例は、参考のためのものであり、上述の全ての例に限定されるものではなく、重複しない他の所定パターン（所定のPattern）とすることができるが、これ以上の説明は繰り返さない。
【０１２３】
本実施形態として説明したリソース指示方法によれば、指示オーバヘッドが固定されている状況下又は指示オーバヘッドが可変である状況下で、同じ時間ドメイン粒度および異なる複数の時間ドメイン粒度に適応したリソース指示を実現し、パンクチャリングされるデータ送信においてパンクチャリングしているリソースの位置を取得でき、大量のデータの再送信、並びにエラーデータの蓄積及び拡散を回避し、占有されるリソースのみを送信できるので、システムのスペクトル効率を向上させることができる。
【０１２４】
実例３
【０１２５】
基地局は、端末ＡにＰＤＳＣＨ１を送信し、ＰＤＳＣＨ１の送信期間は、Ｔ１である。本実施形態では、Ｔ１は、一例として１個のスロットであり、１４個のＯＦＤＭシンボルを含むが、これに限定されるものではない。Ｔ１は、他の時間単位とすることができる。ＰＤＳＣＨ１送信では、基地局は、更に端末ＢにＰＤＳＣＨ２を送信し、ＰＤＳＣＨ２の送信期間は、Ｔ２であり、Ｔ２＜Ｔ１又はＴ２≦Ｔ１であり、また、本実施形態では、Ｔ２について、ＯＦＤＭ又はＯＦＤＭシンボルグループを一例として説明しているが、これに限定されるものではない。Ｔ２は、他の時間単位とすることができる。ＰＤＳＣＨ２が使用するリソースの一部又は全ては、ＰＤＳＣＨ１から占有され、すなわち、ＰＤＳＣＨ１は、パンクチャリングされて送信される。基地局は、周期Ｃを満たすスロットにおけるパンクチャリング指示、すなわち、ＰＤＳＣＨ２が占有するリソースの指示を端末Ａに通知する。すなわち、この場合、パンクチャリング指示は、Ｃ個のスロット毎に１回送信され、Ｎスロットを指示する際にパンクチャリング／占有されるリソースを指示してパンクチャリングする指示方式は、Ｎ＜Ｃ又はＮ＝Ｃとして、以下の少なくとも１つを含む。
【０１２６】
例１：時間ドメインリソースのみを指示。この場合、周波数ドメイン粒度は、デフォルトとして、構成された周波数ドメイン領域全体と等しい。この場合、パンクチャリングされるスロットの数に応じて時間ドメイン粒度を決定する。パンクチャリングされるスロットの数が少ない場合には時間ドメイン粒度が小さく、逆に、パンクチャリングされるスロットの数が多い場合には時間ドメイン粒度が大きくなる。通知は、パンクチャリングされるスロットの位置と、パンクチャリングされるスロット内のパンクチャリングされるＯＦＤＭシンボルの位置とを示す。オーバヘッドは、ｙビットであり、パンクチャリングされるスロットの位置は、ｙ１ビットを使用して指示され、パンクチャリングされるスロット内のパンクチャリングされるＯＦＤＭシンボルの位置は、ｙ２ビットを使用して指示され、ｙ＝ｙ１＋ｙ２である。更に、パンクチャリングされるスロットの数が少ないことをｙ１が指示する場合には、パンクチャリングされるスロット内のパンクチャリングされるＯＦＤＭシンボル位置の時間ドメイン粒度が小さいことをｙ２が指示し、逆に、パンクチャリングされるスロットの数が大きいことをｙ１が指示する場合には、パンクチャリングされるスロット内のパンクチャリングされるＯＦＤＭシンボル位置の時間ドメイン粒度が大きいことをｙ２が指示する。すなわち、パンクチャリングされるスロットにおけるパンクチャリングされるＯＦＤＭシンボル位置の時間ドメイン粒度は、パンクチャリングされるスロットの数に応じて決定される。数値の例を以下に示す。
【０１２７】
表５に示すように、Ｎ＝８と仮定し、ｙ１＝８ビットを用いてパンクチャリングされるスロットの位置を指示し、ｙ２＝１６ビットを用いてパンクチャリングされるスロットにおけるパンクチャリングされるＯＦＤＭシンボルの位置の時間ドメイン粒度を指示するものとする。すなわち、先頭８ビットの指示結果に応じて、末尾１６ビットの指示粒度及び意味を決定できる。全体のオーバヘッドは、ｙ＝ｙ１＋ｙ２＝８＋１６＝２４ビットである。対応するＤＣＩフォーマットを表６に示す。
【表５】
2020533925.tif 000005
【表６】
2020533925.tif 000006
【０１２８】
例２：時間ドメインリソースのみを指示。通知は、パンクチャリングされるスロットの位置と、パンクチャリングされるスロット内のパンクチャリングされるＯＦＤＭシンボルの位置とを指示する。オーバヘッドは、ｙビットであり、パンクチャリングされるスロットの位置は、ｙ１ビットを使用して指示され、パンクチャリングされるスロット内のパンクチャリングされるＯＦＤＭシンボルの位置は、ｙ２ビットを使用して指示され、ｙ＝ｙ１＋ｙ２である。更に、パンクチャリングされるスロットの数が少ないことをｙ１が指示する場合には、パンクチャリングされるスロット内のパンクチャリングされるＯＦＤＭシンボル位置の時間ドメイン粒度が小さいことをｙ２が指示し、逆に、パンクチャリングされるスロットの数が大きいことをｙ１が指示する場合には、パンクチャリングされるスロット内のパンクチャリングされるＯＦＤＭシンボル位置の時間ドメイン粒度が大きいことをｙ２が指示する。すなわち、パンクチャリングされるスロットにおけるパンクチャリングされるＯＦＤＭシンボル位置の時間ドメイン粒度は、パンクチャリングされるスロットの数に応じて決定される。数値の例を以下に示す。
【０１２９】
Ｎ＝８と仮定し、パンクチャリングされるスロットの位置を、ｙ１＝６ビットを用いて指示し、１個及び２個のパンクチャリングされるスロットのみを指示し、パンクチャリングされるスロットの数が２を超えると、全てがパンクチャリングされるとみなす。また、表７に示すように、パンクチャリングされるスロットにおけるパンクチャリングされるＯＦＤＭシンボルの位置の時間ドメイン粒度を、ｙ２＝１４ビットが指示する。すなわち、先頭８ビットの指示結果に応じて、末尾１６ビットの指示粒度及び意味を決定できる。全体のオーバヘッドは、ｙ＝ｙ１＋ｙ２＝８＋１４＝２２ビットである。
【表７】
2020533925.tif 000007
【０１３０】
例３：時間ドメインリソースを同時に指示。この場合、時間ドメイン粒度及び周波数ドメイン粒度は、１対１で対応しており、異なるスロット数をパンクチャリングする場合、時間ドメイン粒度と周波数ドメイン粒度とを個別に決定するようにでき、実施形態２におけるＮ＝１又はＮ＝２のように決定できる。通知は、パンクチャリングされるスロットの位置と、パンクチャリングされるスロット内のパンクチャリングされるＯＦＤＭシンボルの位置とを指示する。オーバヘッドは、ｙビットであり、パンクチャリングされるスロットの位置は、ｙ１ビットを使用して指示され、パンクチャリングされるスロットで使用される時間ドメイン粒度及び周波数ドメイン粒度のインデクスは、ｙ２ビットを使用して指示され、パンクチャリングされるスロットにおけるパンクチャリングされる２次元時間ドメイン単位（パンクチャリングされるサブブロック）の位置は、ｙ３ビットを使用して指示され、ｙ＝ｙ１＋ｙ２＋ｙ３である。更に、ｙ１が、パンクチャリングされるスロットの数が異なることを指示している場合、ｙ２は、パンクチャリングされるスロットにおける時間ドメイン粒度と周波数ドメイン粒度の決定方式が、実例２に示すようなものであることを指示し、ｙ３は、１又は複数のサブブロックがパンクチャリングされているか否かを指示する。すなわち、パンクチャリングされるスロットの数と、時間ドメイン粒度及び周波数ドメイン粒度の組み合わせのインデクス指示とに基づいて、各サブブロック分割及びパンクチャリングされるか否かが決定される。数値の例を以下に示す。
【０１３１】
例えば、表８に示すように、Ｎ＝８と仮定し、パンクチャリングされるスロットの位置を、ｙ１＝８ビットを用いて指示し、パンクチャリングされるスロットにおける時間ドメイン粒度と周波数ドメイン粒度のインデクスを、ｙ２＝２ビットを用いて指示し、パンクチャリングされるスロットにおけるパンクチャリングされるＯＦＤＭシンボルの位置の時間ドメイン粒度を、ｙ３＝１６ビットを用いて指示する。すなわち、先頭８ビットで示されるパンクチャリングされるスロットの数の結果、及び２ビットのインデクス指示に基づいて、末尾１６ビットの指示粒度及び意味を決定できる。全体のオーバヘッドは、ｙ＝ｙ１＋ｙ２＋ｙ３＝８＋２＋１６＝２６ビットである。対応するＤＣＩフォーマットを表９に示す。
【表８】
2020533925.tif 000008
【表９】
2020533925.tif 000009
【０１３２】
なお、本実施形態における所定パターンの例は、参考のためのものであり、上述の全ての例に限定されるものではなく、重複しない他の所定パターン（所定のPattern）とすることができるが、これ以上の説明は繰り返さない。
【０１３３】
本開示の一実施形態、並びに実施形態で説明したリソース指示方法により、指示オーバヘッドが固定されている状況下で異なる時間ドメイン粒度に適合したリソース指示を行うことができ、パンクチャリングされるデータ送信においてパンクチャリングされるリソースの位置を取得でき、これにより、大量のデータの再送信、並びにエラーデータの蓄積及び拡散を回避し、占有リソースのみ送信でき、システムのスペクトル効率を向上させることができる。
【０１３４】
実例４
【０１３５】
上記の実例１、２、３のいずれかにより提供される技術的ソリューションに基づき、時間・周波数リソース領域における周波数ドメイン領域の構成方式は、以下の少なくとも１つを含む。
【０１３６】
方式１：ＵＥが属するグループ内の複数のＵＥの帯域幅部分（bandwidth part：ＢＷＰ）の重複領域又はそのサブセットとして構成する（同じ無線ネットワーク一時ＩＤ（radio network temporary identity：ＲＮＴＩ）を有するＵＥを、ＵＥのグループとしてグルーピングする）。すなわち、ＵＥのグループ内の全てのＵＥのＢＷＰが完全に同一である場合、構成される周波数ドメイン領域は、このＢＷＰ又はそのサブセットであり、ＵＥのグループ内の全てのＵＥのＢＷＰが完全に同一でない場合、構成される周波数ドメイン領域は、複数のＵＥのＢＷＰの重複部分又はその部分のサブセットであり、ＵＥのＢＷＰは、システム帯域幅におけるＵＥへの送信帯域幅の一部を構成し、これは、１個のＢＷＰとすることもでき、複数のＢＷＰとすることもできる。また、パンクチャリング情報を搬送する制御チャネルが属する制御リソース集合（control resource set：CORESET）の周波数ドメイン位置は、複数のＵＥのＢＷＰの重複領域又はそのサブセット内にある。
【０１３７】
方式２：ＵＥが属するグループ内の複数のＵＥのＢＷＰのコーパス(corpus)又はこのコーパスを含む集合として構成する。すなわち、ＵＥのグループ内の全てのＵＥのＢＷＰが完全に同一である場合、構成される周波数ドメイン領域は、このＢＷＰ又はこれを含む集合であり、ＵＥのグループ内の全てのＵＥのＢＷＰが完全に同一ではない場合、構成される周波数ドメイン領域は、１又は複数のＵＥを含むＢＷＰのコーパス又はこのコーパスを含む集合であり、ＵＥのＢＷＰは、システム帯域幅におけるＵＥへの送信帯域幅の一部を構成し、これは、１個のＢＷＰとすることもでき、複数のＢＷＰとすることもでき、ＵＥのＢＷＰは、システム帯域幅におけるＵＥの一部への送信帯域幅の一部を構成し、これは、１個のＢＷＰとすることもでき、複数のＢＷＰとすることもできる。
【０１３８】
方式３：ＵＥが属するグループ内の複数のＵＥのＢＷＰに対応する周波数ドメインリソースを少なくとも部分的に含むように構成し、この場合、周波数ドメイン領域と複数のＵＥのＢＷＰとの間には、少なくとも部分的に重複するＲＢが存在し、ＵＥのＢＷＰは、システム帯域幅におけるＵＥへの送信帯域幅の一部を構成し、これは、１個のＢＷＰとすることもでき、複数のＢＷＰとすることもできる。
【０１３９】
本開示の実例４における周波数ドメイン領域のリソース構成方法によれば、構成されたパンクチャリングされる領域の周波数ドメイン領域をＵＥのグループのＢＷＰに一致させることができ、これによって、無駄な広範囲の周波数ドメイン指示を回避し、システム効率を向上させることができる。
【０１４０】
実施形態４
【０１４１】
本開示の一実施形態は、更に、実行時に上記のいずれかの項目の方法を実行する記憶プログラムを含む記憶媒体を提供する。
【０１４２】
本実施形態では、上記記憶媒体は、ステップＳ１を実行するためのプログラムコードを記憶するように構成できる。
【０１４３】
ステップＳ１では、構成された時間・周波数リソース領域において、物理層シグナリングによって、第２の送信期間を有するサービスによって占有される第１の送信期間を有するサービスの時間・周波数リソースを指示し、第１の送信期間は、第２の送信期間より長い。
【０１４４】
一実施形態では、構成された時間・周波数リソース領域において、物理層シグナリングによって、第２の送信期間を有するサービスによって占有される第１の送信期間を有するサービスの時間・周波数リソースを指示することは、少なくとも、以下のうちの１つを含む。
【０１４５】
‐物理層シグナリングによって、第２の送信期間によって占有される第１の送信期間を有するサービスの時間ドメイン粒度を指示する。
【０１４６】
‐物理層シグナリングによって第２の送信期間を有するサービスによって占有される第１の送信期間を有するサービスの周波数ドメイン粒度を指示し、時間ドメイン粒度及び周波数ドメイン粒度の決定方式は、以下のうち少なくとも１つを含む。
‐時間ドメイン粒度と周波数ドメイン粒度の両方が物理層シグナリングによって指示され又は上位層シグナリングによって構成されること、
‐物理層シグナリングによる指示又は上位層シグナリングによる構成によって時間ドメイン粒度が決定され、決定された時間ドメイン粒度に基づいて周波数ドメイン粒度が決定されること、又は、
‐物理層シグナリングによる指示又は上位層シグナリングによる構成によって周波数ドメイン粒度が決定され、決定された周波数ドメイン粒度に基づいて時間ドメイン粒度が決定されること。
【０１４７】
本実施形態では、記憶媒体は、以下に限定されるものではないが、プログラムコードを格納できるあらゆる媒体、例えば、ＵＳＢフラッシュドライブ、読み取り専用メモリ（read-only memory：ＲＯＭ）、ランダムアクセスメモリ（random access memory：ＲＡＭ）、リムーバブルハードディスク、磁気ディスク、光ディスク等を含むことができる。
【０１４８】
なお、本実施形態の一例については、前述の実施形態及び実施形態で説明した例を参照でき、ここでは、これ以上の説明を行わない。
【０１４９】
以上の開示における各モジュール又は各ステップは、汎用演算装置によって実現でき、更に、単一の演算装置に集約化でき、複数の演算装置からなるウェブサイトに分散させてもよいことは、当業者にとって明らかである。一実施形態では、これらは、演算装置が実行可能なプログラムコードによって実現でき、したがって、記憶装置に格納でき、幾つかの場合、ここに示し又は説明したステップは、ここに記載したものとは異なる順序で実行でき、これらを１又は複数の集積回路モジュールに組み込むことができ、複数のモジュール又はステップを単一の集積回路モジュールに組み込むこともできる。したがって、本開示は、ハードウェア及びソフトウェアの任意の特定の組み合わせに限定されない。
【手続補正２】
【補正対象書類名】特許請求の範囲
【補正対象項目名】全文
【補正方法】変更
【補正の内容】
【特許請求の範囲】
【請求項１】
無線通信方法であって、
前記方法は、構成される時間・周波数リソース領域において、物理ダウンリンク共有チャネル（ＰＤＳＣＨ）上の送信によってサービスの時間・周波数リソースが占有されることを、物理層シグナリングによってユーザ機器に指示することを含み、
前記時間・周波数リソースの時間ドメイン粒度および周波数ドメイン粒度は、上位層シグナリングによって構成され、
前記時間ドメイン粒度は、１個以上のシンボルを含み、
前記周波数ドメイン粒度は、指定比率の帯域幅を含み、
前記時間ドメイン粒度の値は、前記周波数ドメイン粒度の値と１対１の対応関係にあり、
前記方法は、前記物理層シグナリングに従ってＰＤＳＣＨ上で送信を実行することを含む、
方法。
【請求項２】
無線通信方法であって、
前記方法は、構成される時間・周波数リソース領域において、物理ダウンリンク共有チャネル（ＰＤＳＣＨ）上の送信によってサービスの時間・周波数リソースが占有されることを指示する基地局からの物理層シグナリングを、ユーザ機器によって受信することを含み、
前記時間・周波数リソースの時間ドメイン粒度および周波数ドメイン粒度は、上位層シグナリングによって構成され、
前記時間ドメイン粒度は、１個以上のシンボルを含み、
前記周波数ドメイン粒度は、指定比率の帯域幅を含み、
前記時間ドメイン粒度の値は、前記周波数ドメイン粒度の値と１対１の対応関係にある、方法。
【請求項３】
請求項１または２に記載の方法において、前記時間ドメイン粒度の前記１個以上のシンボルは、１個又は２個又は４個の直交周波数分割多重（ＯＦＤＭ）シンボルを含む、方法。
【請求項４】
請求項１または２に記載の方法において、前記周波数ドメイン粒度の前記指定比率の帯域幅は、前記周波数ドメイン領域帯域幅の１倍を含む、方法。
【請求項５】
請求項１または２に記載の方法において、前記周波数ドメイン粒度の前記指定比率の帯域幅は、前記周波数ドメイン領域帯域幅の１／２倍を含む、方法。
【請求項６】
請求項１または２に記載の方法において、前記サービスのリソースサブブロックは、決定された前記時間ドメイン粒度および前記周波数ドメイン粒度に従って、時間・周波数リソース領域において分割される、方法。
【請求項７】
無線通信のための装置であって、
前記装置はプロセッサを備え、
前記プロセッサは、構成される時間・周波数リソース領域において、物理ダウンリンク共有チャネル（ＰＤＳＣＨ）上の送信によって占有されるサービスの時間・周波数リソースを、物理層シグナリングによって指示するよう構成され、
前記時間・周波数リソースの時間ドメイン粒度および周波数ドメイン粒度は、上位層シグナリングによって構成され、
前記時間ドメイン粒度は、１個以上のシンボルを含み、
前記周波数ドメイン粒度は、指定比率の帯域幅を含み、
前記時間ドメイン粒度の値は、前記周波数ドメイン粒度の値と１対１の対応関係にあり、
前記プロセッサは、前記物理層シグナリングに従ってＰＤＳＣＨ上で送信を実行するよう構成される、
装置。
【請求項８】
無線通信のための装置であって、
前記装置はプロセッサを備え、
前記プロセッサは、構成される時間・周波数リソース領域において、物理ダウンリンク共有チャネル（ＰＤＳＣＨ）上の送信によってサービスの時間・周波数リソースが占有されることを指示する基地局からの物理層シグナリングを受信するよう構成され、
前記時間・周波数リソースの時間ドメイン粒度および周波数ドメイン粒度は、上位層シグナリングによって構成され、
前記時間ドメイン粒度は、１個以上のシンボルを含み、
前記周波数ドメイン粒度は、指定比率の帯域幅を含み、
前記時間ドメイン粒度の値は、前記周波数ドメイン粒度の値と１対１の対応関係にある、
装置。
【請求項９】
請求項７または８に記載の装置において、前記時間ドメイン粒度の前記１個以上のシンボルは、１個又は２個又は４個の直交周波数分割多重（ＯＦＤＭ）シンボルを含む、装置。
【請求項１０】
請求項７または８に記載の装置において、前記周波数ドメイン粒度の前記指定比率の帯域幅は、前記周波数ドメイン領域帯域幅の１倍を含む、装置。
【請求項１１】
請求項７または８に記載の装置において、前記周波数ドメイン粒度の前記指定比率の帯域幅は、前記周波数ドメイン領域帯域幅の１／２倍を含む、装置。
【請求項１２】
請求項７または８に記載の装置において、前記サービスのリソースサブブロックは、決定された前記時間ドメイン粒度および前記周波数ドメイン粒度に従って、時間・周波数リソース領域において分割される、装置。